(57)【要約】【課題】開閉可能な筐体のあらゆる使用状態において、把持する使用者の手でマイク部を覆うことを防ぎ、音声を明瞭に入力可能にする。【解決手段】第１筐体１００と第２筐体２００は、ヒンジ部３００によって開閉自在に連結され、さらに第１筐体１００が第２筐体２００に対して回動可能に構成されている。第１筐体１００は、閉じた状態で第２筐体２００と対向する主面に、表示部１０３、レシーバ１０２及び第２カメラ１０４を備え、第２筐体２００は、閉じた状態で第１筐体１００と対向する主面に、第１操作部２０１とスピーカ２０３を備えている。さらに第１操作部２０１の上方のヒンジ部３００との間においてヒンジ部３００近傍にマイク部２０２が配設され、使用時の種々の開閉状態や回動状態においても、第２筐体を使用者が把持したときに掌や指でマイク部２０２が覆われることがないような配置構成となっている。【選択図】  図５
2004166139.tif 000002
【特許請求の範囲】
【請求項１】
第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、
前記第２筐体における前記第１筐体と前記第２筐体とを閉じた状態で対向する主面上の前記ヒンジ部近傍に、音声入力を行うマイク部を配設したことを特徴とする携帯端末装置。
【請求項２】
第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、
前記ヒンジ部における前記第１筐体と前記第２筐体とを開いた状態で露呈する部分に、音声入力を行うマイク部を配設したことを特徴とする携帯端末装置。
【請求項３】
第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、
前記第２筐体における前記ヒンジ部より遠方の先端側で、前記第１筐体と前記第２筐体とを閉じた状態で対向する主面に隣接した端面上に、音声入力を行うマイク部を配設したことを特徴とする携帯端末装置。
【請求項４】
前記第１筐体における前記第１筐体と前記第２筐体とを閉じた状態で対向する主面上に表示部を配設し、前記第２筐体における前記主面上に操作部を配設したことを特徴とする請求項１〜３のいずれかに記載の携帯端末装置。
【請求項５】
前記第１筐体における前記第１筐体と前記第２筐体とを閉じた状態で対向する主面上に表示部を配設し、この主面に対して前方または後方を撮影するカメラ部を設けたことを特徴とする請求項１〜３のいずれかに記載の携帯端末装置。
【請求項６】
前記第１筐体と前記第２筐体とを開き、さらに前記第１筐体を前記第２筐体に対して略９０°回動して、前記第１筐体における前記第１筐体と前記第２筐体とを閉じた状態で対向する主面と前記第２筐体における前記主面に隣接する側面とが同方向を向いた状態で、前記第１筐体と前記第２筐体との間隙が１５ｍｍ以下となるように構成したことを特徴とする請求項１〜５のいずれかに記載の携帯端末装置。
【発明の詳細な説明】
【０００１】
【発明の属する技術分野】
本発明は、複数の筐体が連結されてなる開閉式の携帯端末装置に関する。
【０００２】
【従来の技術】
近時、携帯端末装置の多機能化が進んでおり、携帯電話、テレビ電話、音声レコーダ、デジタルビデオカメラ、デジタルスチルカメラ等の機能を同一筐体に構成したものが商品化されてきている。例えば、音声通話機能に加えてテレビ電話の機能を有し、更にデジタルビデオカメラとしても使用可能な多機能の開閉式（折畳式）携帯端末装置が提案されている（例えば、特許文献１参照）。
【０００３】
上記従来例の開閉式携帯端末装置は、表面に表示部、裏面にスピーカから出力される音声を筐体外に導く放音孔をそれぞれ備えた第１筐体と、操作キー部及びその下部にマイク部を備えた第２筐体からなり、撮影レンズを備えた回転軸部によって開閉自在に連結した構成となっている。そして、第１筐体と第２筐体を閉じた状態で第１筐体の表示部と、第２筐体の操作部及びマイク部とが対向している。
【０００４】
この開閉式携帯端末装置を携帯電話として使用し音声通話を行う際は、開いた状態で第１筐体のスピーカを耳に当てて受話し、口元に近接した第２筐体のマイク部に向かって送話を行う（第１態様）。また、テレビ電話として使用する場合は、開いた状態で第１筐体の表示部が正面に見えるようにして把持し、通話相手の画像を見ながら第２筐体のマイク部に向かって送話をする（第２態様）。一方、デジタルビデオカメラとして使用する場合は、開いた状態の第２筐体を手で把持しながら回転軸部に設けられた撮影レンズを被写体に向け、第１筐体を所定方向に回動させ、表示部をファインダとして被写体画像をモニタしながら撮影を行う（第３態様）。
【０００５】
【特許文献１】
特開２００１−１６９１６６号公報（段落００４８−００７８、図１−９）
【０００６】
【発明が解決しようとする課題】
しかしながら、上記従来例の開閉式携帯端末装置をデジタルビデオカメラとして使用し撮影を行う場合（第３態様の場合）には、第２筐体を把持する使用者の手が操作部の下部に配置されたマイク部を覆ってしまい、マイク部へ入力される音声が遮られて小さくなったり、または入力されなかったりする問題がある。
【０００７】
本発明は、上記課題を解決するためになされたもので、開閉可能な筐体のあらゆる使用状態において、把持する使用者の手がマイク部を覆うことがなく、音声を明瞭に入力することができる携帯端末装置を提供することを目的とする。
【０００８】
【課題を解決するための手段】
本発明に係る携帯端末装置は、第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、前記第２筐体における前記第１筐体と前記第２筐体とを閉じた状態で対向する主面上の前記ヒンジ部近傍に、音声入力を行うマイク部を配設したことを特徴とする。
【０００９】
上記構成によれば、例えば第１筐体と第２筐体とを開いて携帯電話やテレビ電話として通話に使用する場合のみならず、さらに第１筐体を回動してデジタルスチルカメラやデジタルビデオカメラとして使用する場合など、あらゆる使用形態において、把持する使用者の手や指がマイク部を覆うことが防止され、常にマイク部が露出するため、音声を明瞭に入力することが可能である。
【００１０】
また、本発明に係る携帯端末装置は、第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、前記ヒンジ部における前記第１筐体と前記第２筐体とを開いた状態で露呈する部分に、音声入力を行うマイク部を配設したことを特徴とする。
【００１１】
上記構成によれば、例えば第１筐体と第２筐体とを開いて携帯電話やテレビ電話として通話に使用する場合のみならず、さらに第１筐体を回動してデジタルスチルカメラやデジタルビデオカメラとして使用する場合など、あらゆる使用形態において、把持する使用者の手や指がマイク部を覆うことが防止され、常にマイク部が露出するため、音声を明瞭に入力することが可能である。
【００１２】
また、本発明に係る携帯端末装置は、第１筐体と、第２筐体と、前記第１筐体及び第２筐体を開閉可能に連結するとともに、前記第１筐体と前記第２筐体とを開いた際に前記第１筐体を前記第２筐体に対して回動可能に支持するヒンジ部とを備えた携帯端末装置であって、前記第２筐体における前記ヒンジ部より遠方の先端側で、前記第１筐体と前記第２筐体とを閉じた状態で対向する主面に隣接した端面上に、音声入力を行うマイク部を配設したことを特徴とする。
【００１３】
上記構成によれば、例えば第１筐体と第２筐体とを開いて携帯電話やテレビ電話として通話に使用する場合のみならず、さらに第１筐体を回動してデジタルスチルカメラやデジタルビデオカメラとして使用する場合など、あらゆる使用形態において、把持する使用者の手や指がマイク部を覆うことが防止され、常にマイク部が露出するため、音声を明瞭に入力することが可能である。
【００１４】
また、上記いずれかの構成において、前記第１筐体における前記第１筐体と前記第２筐体とを閉じた状態で対向する主面上に表示部を配設し、前記第２筐体における前記主面上に操作部を配設したことを特徴とする。
【００１５】
上記構成によれば、例えば第１筐体と第２筐体とを開いて携帯電話やテレビ電話として通話に使用する場合など、あらゆる使用形態において、把持する使用者の手や指がマイク部を覆うことを防止でき、音声を明瞭に入力することが可能である。
【００１６】
また、上記いずれかの構成において、前記第１筐体における前記第１筐体と前記第２筐体とを閉じた状態で対向する主面上に表示部を配設し、この主面に対して前方または後方を撮影するカメラ部を設けたことを特徴とする。
【００１７】
上記構成によれば、例えば第１筐体と第２筐体とを開いてさらに第１筐体を回動してデジタルスチルカメラやデジタルビデオカメラとして使用する場合など、あらゆる使用形態において、把持する使用者の手や指がマイク部を覆うことを防止でき、音声を明瞭に入力することが可能である。
【００１８】
また、上記いずれかの構成において、前記第１筐体と前記第２筐体とを開き、さらに前記第１筐体を前記第２筐体に対して略９０°回動して、前記第１筐体における前記第１筐体と前記第２筐体とを閉じた状態で対向する主面と前記第２筐体における前記主面に隣接する側面とが同方向を向いた状態で、前記第１筐体と前記第２筐体との間隙が１５ｍｍ以下となるように構成したことを特徴とする。
【００１９】
上記構成によれば、第１筐体と第２筐体とを開いてさらに第１筐体を第２筐体に対して略９０°回動した状態で、デジタルスチルカメラやデジタルビデオカメラとして使用する場合などに、第１筐体と第２筐体の間隙が使用者の指の太さより狭いため、第２筐体を把持する使用者の指が間隙に入ることがなく、マイク部を覆うことを防止できる。よって、常にマイク部を露出させることができ、音声を明瞭に入力することが可能である。
【００２０】
【発明の実施の形態】
以下、図面を参照して本発明の実施形態を説明する。
本実施形態では、携帯端末装置の一例として、ヒンジ部により開閉可能な筐体を有し、通話機能とカメラ機能を備えた開閉式（折畳式）の携帯電話機の構成例を示す。
【００２１】
［第１実施形態］
まず、図１〜図３を用いて、本発明の第１実施形態に係る携帯端末装置の構成について説明する。図１は本発明の第１実施形態に係る携帯端末装置の筐体を開いたときの構成を示す正面図、図２は第１実施形態の携帯端末装置の筐体を閉じたときの外観構成を示す斜視図である。
【００２２】
携帯端末装置は、第１筐体１００と第２筐体２００とがヒンジ部３００によって回動可能に連結されて構成されている。ヒンジ部３００は、第１筐体１００に一端部に延出形成された第１ヒンジ部３０１と、第２筐体２００の一端部に延出形成され前記第１ヒンジ部３０１の両端を支持する第２ヒンジ部３０２とによって構成されている。また、第１筐体１００は第１ヒンジ部３０１の中央部に設けられた回動軸３０３により第１ヒンジ部３０１に対して回動（旋回）可能に支持されている。これらによって、第１筐体１００と第２筐体２００とは第１及び第２ヒンジ部３０１、３０２による第１回動軸の回りに開閉可能であると共に、第１筐体１００と第２筐体２００を開いた状態で、第１筐体１００は前記第１回動軸の軸方向と直交する回動軸３０３による第２回動軸の回りに回動して第２筐体２００及びヒンジ部３００に対して旋回可能となっている。
【００２３】
第１筐体１００は、筐体上部端面にアンテナ１０１を備えると共に、閉じた状態で第２筐体２００と対向する面（主面）にレシーバ１０２と、表示部１０３と、表示部１０３に対向する被写体を撮影する第２カメラ１０４とを備え、更に筐体内部に永久磁石１０５を有して構成される。一方、第２筐体２００は、閉じた状態で第１筐体１００と対向する面（主面）に第１操作部２０１と、その上部のヒンジ部３００近傍に配設されたマイク部２０２と、スピーカ２０３とを備えると共に、筐体背面部に電池２０４を備えて構成される。また、第２筐体２００は、筐体内部に送受信部２０５と、制御部２０６と、情報記憶部２０７と、バイブレータ２０８と、ホール素子２０９とを有している。さらに、第２ヒンジ部３０２の一端の側面部に第２操作部３０５を、他端の側面部に第１カメラ３０４を備えている。
【００２４】
携帯端末装置の携帯時には、図２に示すように第１筐体１００が第２筐体２００と隣接して対向するように閉じられた状態（折り畳まれた状態）で用いられる。一方、携帯端末装置の使用時には、図１に示すように第１筐体１００と第１筐体１００とを開いた状態で通話等を行うようになっている。
【００２５】
図３は、本実施形態の携帯端末装置の電気的構成を示すブロック図である。携帯端末装置は、無線信号の送受信を行うアンテナ１０１と、無線信号の送信処理及び受信処理を行う送受信部２０５と、着信を振動で報知するためのバイブレータ２０８と、電話番号や文字、機能選択信号を入力したり、第２カメラ１０４を操作する第１操作部２０１と、デジタルビデオカメラやデジタルスチルカメラとして使用する場合などに第１カメラ３０４を操作したり、表示部１０３に表示される画面の操作を行う第２操作部３０５と、電話番号や音声、画像等の各情報を記憶する情報記憶部２０７と、装置各部に電力を供給する電池２０４と、受話音声を出力するレシーバ１０２と、着信を報知する着信音及びテレビ電話の使用時に受話音声等を出力するスピーカ２０３とを有している。
【００２６】
また、情報を表示するための液晶ディスプレイ等からなる表示部１０３と、永久磁石１０５による磁界を検出して筐体の開閉を検知するホール素子２０９と、被写体を撮影する第１カメラ３０４及び第２カメラ１０４と、携帯電話やテレビ電話として使用する際の送話とデジタルビデオカメラにおける撮影時の集音を行うマイク部２０２と、装置各部の制御や信号処理を行う制御部２０６とを有している。
【００２７】
永久磁石１０５は、第１筐体１００の主面においてヒンジ部３００とは反対側の端部近傍の筐体内に設けられている。また、ホール素子２０９は、第２筐体２００の主面においてヒンジ部３００とは反対側の端部近傍の筐体内に設けられている。この構成により、第１筐体１００及び第２筐体２００が閉じられた状態では永久磁石１０５がホール素子２０９に近接するため、ホール素子２０９が永久磁石１０５の磁力を検出して検出信号が生成され、制御部２０６に入力される。一方、第１筐体１００及び第２筐体２００が開かれた状態では永久磁石１０５がホール素子２０９から離隔するため、ホール素子２０９が永久磁石１０５の磁力を検出できないので検出信号が生成されない。制御部２０６はホール素子２０９からの検出信号によって第１筐体１００及び第２筐体２００の開閉状態を認識することができる。
【００２８】
この携帯端末装置において、使用者がレシーバ１０２に耳を当てて音声通話を行う場合はレシーバ１０２より音声が出力される。一方、テレビ電話の使用時には、スピーカ２０３より音声が出力されるように音声出力が切り替わる。また、通話時以外はスピーカ２０３から着信音や各種報知音等が出力される。
【００２９】
次に、上記のように構成された携帯端末装置の使用例について、図４〜図９を用いて説明する。
【００３０】
図４〜図６は、第１実施形態の携帯端末装置において筐体を開いて携帯電話やテレビ電話、音声レコーダとして使用する場合の状態を示したものであり、図４は携帯端末装置の第１及び第２筐体を開いたときの構成を示す斜視図、図５は図４の携帯端末装置において第２筐体を使用者が把持した第１の把持状態を示す斜視図、図６は図４の携帯端末装置において第２筐体を使用者が把持した第２の把持状態を示す斜視図である。
【００３１】
携帯端末装置を携帯電話やテレビ電話、音声レコーダとして使用する際には、図４に示すように第１筐体１００と第２筐体２００を開いた状態で使用する。そして、図５及び図６に示すように、使用者は第２筐体２００を手で把持した状態で、携帯電話として音声通話を行う場合は、指で第１操作部２０１の各キーを操作して発信や着信を行い、レシーバ１０２を耳に当てて通話を行う。また、テレビ電話として使用する場合は、使用者は同様に第２筐体２００を手で把持した状態で、指で第１操作部２０１の各キーを操作して発信や着信を行い、表示部１０３に表示された画面を見ながら、スピーカ２０３から放音される音声を聞いて通話を行う。また、音声レコーダとして音声を録音する場合は、使用者は同様に第２筐体２００を手で把持した状態で、マイク部２０３に向かって音声入力を行う。
【００３２】
このとき、図５及び図６に示すように使用者が第２筐体２００を手で把持した状態であっても、マイク部２０２は第１操作部２０１よりヒンジ部３００側、すなわち第１操作部２０１とヒンジ部３００との間のヒンジ部３００近傍直下に配設されているので、使用者の掌や指で覆われることがない。このため、常にマイク部２０２によって明瞭に音声を入力することができる。
【００３３】
図７〜図９は、第１実施形態の携帯端末装置において第１筐体を回動させてデジタルビデオカメラやデジタルスチルカメラとして使用する場合の状態を示したものであり、図７は携帯端末装置の第１及び第２筐体を開いてさらに第１筐体を回動させたときの構成を示す斜視図、図８は図７の携帯端末装置において第２筐体を使用者が把持した第１の把持状態を示す斜視図、図９は図７の携帯端末装置において第２筐体を使用者が把持した第２の把持状態を示す斜視図である。
【００３４】
携帯端末装置をデジタルビデオカメラやデジタルスチルカメラとして使用する際には、図７に示すように第１筐体１００と第２筐体２００を開き、さらに第１筐体１００をヒンジ部３００の回動軸３０３の軸回りに約９０°回動させて、第１筐体１００の主面と第２筐体２００の主面に隣接する側面とが同方向を向いた状態で使用する。
【００３５】
そして、図８に示すように、使用者は第２筐体２００を手で把持した状態で、ヒンジ部３００の一端側面部に配設された第１カメラ３０４を被写体に向けて撮影を行う。このとき、第１筐体１００の主面に設けられた表示部１０３に対して、第１カメラ３０４は後方を撮影することになる。よって、第１カメラ３０４の撮影方向と反対方向に向いた表示部１０３はファインダとして機能し、同時にマイク部２０２により被写体となる人物の声や周囲の音を入力する。また、この撮影時には、図９に示すように、使用者は第２筐体２００を手で把持した状態でヒンジ部３００の他端側面部に配設された第２操作部３０５を親指で操作し、例えば押ボタン操作によりシャッタ動作を行う。
【００３６】
このように第１筐体１００を回動させた状態で、第１筐体１００と第２筐体２００との間隙ｇは、使用者の指の太さよりも狭い約１５ｍｍに設定されている。また、マイク部２０２は、前述したように第１操作部２０１とヒンジ部３００との間、すなわち図７中の斜線で示す領域のヒンジ部３００近傍に配設されている。この構成により、使用者の指が第１筐体１００と第２筐体２００の隙間に入ることがないので、マイク部２０２は使用者の掌や指で覆われることがなく、常に露出する。したがって、デジタルビデオカメラやデジタルスチルカメラとしての使用時においても、常にマイク部２０２によって明瞭に音声を入力することができる。なお、本実施形態では、第１筐体１００と第２筐体２００の間隙ｇを使用者の指の太さよりも狭くなるように約１５ｍｍに設定したが、更に狭い方が好適である。また、マイク部２０２はヒンジ部３００の根元に配設する方が好適である。
【００３７】
このように、第１実施形態によれば、マイク部２０２を第２筐体２００のヒンジ部３００直下に配設したことにより、開閉式の携帯端末装置を音声通話、テレビ電話、音声レコーダ、デジタルビデオカメラ及びデジタルスチルカメラで使用する場合など、あらゆる使用状態において、マイク部が使用者の掌や指によって覆われることを防止し、常に露出した状態にすることができる。したがって、マイク部には常に明瞭な音声が入力されるので、通話相手に正確に音声情報を伝えたり、また忠実な音声記録を行うことができる。
【００３８】
［第２実施形態］
図１０は本発明の第２実施形態に係る携帯端末装置の第１及び第２筐体を開いてさらに第１筐体を回動させたときの構成を示す斜視図、図１１は図１０の携帯端末装置において第２筐体を使用者が把持した把持状態を示す斜視図である。この図１０及び図１１は、第２実施形態の携帯端末装置において第１筐体を回動させてデジタルビデオカメラやデジタルスチルカメラとして使用する場合の状態を示したものである。なお、第２実施形態は、第１実施形態とマイク部の配設位置が異なる以外は同じ構成であり、図１〜図９と同一の構成要素には同一符号を付して説明を省略する。
【００３９】
第２実施形態は、図１０及び図１１に示すように、第２筐体２００より延出形成されたヒンジ部３００の第２ヒンジ部３０２において、第１筐体１００と第２筐体２００とを開いた状態で第２筐体２００の主面側に露呈する部分に、マイク部３０６が配設されている。
【００４０】
携帯端末装置をデジタルビデオカメラやデジタルスチルカメラとして使用する際には、図１０に示すように第１筐体１００と第２筐体２００を開き、さらに第１筐体１００をヒンジ部３００の回動軸３０３の軸回りに約９０°回動させた状態で使用する。そして、図１１に示すように、使用者は第２筐体２００を手で把持した状態で、ヒンジ部３００の一端側面部に配設された第１カメラ３０４を被写体に向けて撮影を行う。
【００４１】
このとき、表示部１０３はファインダとして機能し、使用者は表示された被写体の画像を見ながら指で第２操作部３０５を操作して撮影の開始、停止等の指示を行う。同時に、マイク部３０６により被写体となる人物の声や周囲の音を入力する。
【００４２】
この状態で、第１筐体１００と第２筐体２００との間隙ｇは使用者の指の太さよりも狭い約１５ｍｍに設定されているため、使用者の指が第１筐体１００と第２筐体２００の隙間に入ることがなく、マイク部３０６は使用者の掌や指で覆われずに常に露出する。これにより、常にマイク部３０６によって明瞭に音声を入力することができる。
【００４３】
このように、第２実施形態によれば、マイク部３０６をヒンジ部３００に配設したことにより、第１実施形態と同様に、開閉式の携帯端末装置をデジタルビデオカメラ及びデジタルスチルカメラで使用する場合など、あらゆる使用状態において、マイク部が使用者の掌や指によって覆われることを防止し、常に露出した状態にすることができる。したがって、マイク部に常に明瞭な音声を入力でき、通話相手に正確に音声情報を伝えたり、また忠実な音声記録を行うことが可能となる。
【００４４】
［第３実施形態］
図１２は本発明の第３実施形態に係る携帯端末装置の第１及び第２筐体を開いたときの構成を示す斜視図、図１３は図１２の携帯端末装置において第２筐体を使用者が把持した把持状態を示す斜視図である。この図１２及び図１３は、第３実施形態の携帯端末装置において第１筐体及び第２筐体を開いて携帯電話やテレビ電話、音声レコーダとして使用する場合の状態を示したものである。なお、第３実施形態は、第１実施形態とマイク部の配設位置が異なる以外は同じ構成であり、図１〜図９と同一の構成要素には同一符号を付して説明を省略する。
【００４５】
第３実施形態は、図１２及び図１３に示すように、第２筐体２００のヒンジ部３００に対して遠方の端部、すなわちヒンジ部３００と反対側の先端部の第２筐体２００の主面と隣接した端面にマイク部２１０が配設されている。
【００４６】
携帯端末装置を携帯電話やテレビ電話、音声レコーダとして使用する際には、図１２に示すように第１筐体１００と第２筐体２００を開いた状態で使用する。そして、図１３に示すように、使用者は第２筐体２００を手で把持した状態で、指で第１操作部２０１の各キーを操作したり、レシーバ１０２を耳に当てて通話を行ったり、表示部１０３に表示された画面を見ながらスピーカ２０３からの音声を聞いて通話を行ったり、マイク部２０３に向かって音声入力を行う。
【００４７】
この状態で、マイク部２１０は第２筐体２００の先端部の端面に配設されているので、マイク部２１０は使用者の掌や指で覆われることがなく、常に露出する。したがって、常にマイク部２１０によって明瞭に音声を入力することができる。
【００４８】
このように、第３実施形態によれば、マイク部２１０を第２筐体２００のヒンジ部３００に対して遠方の端部の端面に配設したことにより、第１実施形態と同様に、開閉式の携帯端末装置を音声通話、テレビ電話、音声レコーダで使用する場合など、あらゆる使用状態において、マイク部が使用者の掌や指によって覆われることを防止し、常に露出した状態にすることができる。したがって、マイク部に常に明瞭な音声を入力でき、通話相手に正確に音声情報を伝えたり、また忠実な音声記録を行うことが可能となる。
【００４９】
【発明の効果】
以上説明したように本発明によれば、開閉可能な筐体のあらゆる使用状態において、把持する使用者の手がマイク部を覆うことがなく、音声を明瞭に入力することができる携帯端末装置を提供可能である。
【図面の簡単な説明】
【図１】本発明の第１実施形態に係る携帯端末装置の筐体を開いたときの構成を示す正面図
【図２】第１実施形態の携帯端末装置の筐体を閉じたときの外観構成を示す斜視図
【図３】第１実施形態の携帯端末装置の電気的構成を示すブロック図
【図４】第１実施形態の携帯端末装置の第１及び第２筐体を開いたときの構成を示す斜視図
【図５】図４の携帯端末装置において第２筐体を使用者が把持した第１の把持状態を示す斜視図
【図６】図４の携帯端末装置において第２筐体を使用者が把持した第２の把持状態を示す斜視図
【図７】第１実施形態の携帯端末装置の第１及び第２筐体を開いてさらに第１筐体を回動させたときの構成を示す斜視図
【図８】図７の携帯端末装置において第２筐体を使用者が把持した第１の把持状態を示す斜視図
【図９】図７の携帯端末装置において第２筐体を使用者が把持した第２の把持状態を示す斜視図
【図１０】本発明の第２実施形態に係る携帯端末装置の第１及び第２筐体を開いてさらに第１筐体を回動させたときの構成を示す斜視図
【図１１】図１０の携帯端末装置において第２筐体を使用者が把持した把持状態を示す斜視図
【図１２】本発明の第３実施形態に係る携帯端末装置の第１及び第２筐体を開いたときの構成を示す斜視図
【図１３】図１２の携帯端末装置において第２筐体を使用者が把持した把持状態を示す斜視図
【符号の説明】
１００  第１筐体
１０２  レシーバ
１０３  表示部
１０４  第２カメラ
２００  第２筐体
２０１  第１操作部
２０２、２１０、３０６  マイク部
２０３  スピーカ
３００  ヒンジ部
３０１  第１ヒンジ部
３０２  第２ヒンジ部
３０３  回動軸
３０４  第１カメラ
３０５  第２操作部
【図１】
2004166139.tif 000003
【図２】
2004166139.tif 000004
【図３】
2004166139.tif 000005
【図４】
2004166139.tif 000006
【図５】
2004166139.tif 000007
【図６】
2004166139.tif 000008
【図７】
2004166139.tif 000009
【図８】
2004166139.tif 000010
【図９】
2004166139.tif 000011
【図１０】
2004166139.tif 000012
【図１１】
2004166139.tif 000013
【図１２】
2004166139.tif 000014
【図１３】
2004166139.tif 000015